(57)【特許請求の範囲】
【請求項１】
物体側より順に正の屈折力の第１レンズ、正の屈折力を有し物体側へ凸面を向けたメニスカス形状の第２レンズ、負の屈折力の第３レンズ、物体側へ深い凹面を向けた負の屈折力の第４レンズと正の屈折力の第５レンズは接合されており、像側に凸面を向けた正の屈折力のメニスカス形状の第６レンズ、正の屈折力の第７レンズからなり、以下の条件を満足する事を特徴とする大口径比レンズ。
０．８ｆ＜ｆ１２＜ｆ
０．１６ｆ＜Ｄ５＜０．２５ｆ
０．４５ｆ＜Ｒ６＜０．６２ｆ
１．３＜｜Ｒ６／Ｒ８｜＜１．６２
ただし、
ｆ：全系の焦点距離
ｆ１２：第１レンズおよび第２レンズの合成焦点距離
Ｄ５：第３正レンズの中心厚
Ｒ６：第３レンズ後面の曲率半径
Ｒ８：第４レンズ前面の曲率半径
とする。
【発明の詳細な説明】
【０００１】
【発明の属する技術分野】
本発明は主として３５ミリ一眼レフレックスカメラ用交換レンズの大口径比標準レンズに関するものである。
【０００２】
【従来の技術】
従来、３５ミリ一眼レフカメラ用でＦナンバーが１．４クラスの大口径比標準レンズは、多くが６群７枚構成の変形ガウスタイプであり、各パラメータが極めて近い数値で構成されている。ミラーアップに必要なバックフォーカスを得るために、絞りの前と後の群は非対称なパワー配分となり、前群の接合面が分離された形態に進化を遂げてきた。
【０００３】
【発明が解決しようとする課題】
しかし、今日まで多くの試みがされてきたにもかかわらず、どのシステムもガウスタイプの問題となるサジタルコマフレアが十分補正されているとは言い難いものであった。
【０００４】
そこで本発明は、６群７枚で構成された変形ガウスタイプの大口径比レンズを従来のシステムとは数値的に大きく異なるパラメータで構成し、あわせてサジタルコマフレアを軽減した大口径比レンズを提供することを目的とするものである。
【０００５】
【課題を解決するための手段】
上記の目的を達成するために本発明は、物体側より順に正の屈折力の第１レンズＬ１、正の屈折力を有し物体側へ凸面を向けたメニスカス形状の第２レンズＬ２、負の屈折力の第３レンズＬ３、物体側へ深い凹面を向けた負の屈折力の第４レンズＬ４と正の屈折力の第５レンズＬ５は接合されており、像側に凸面を向けた正の屈折力のメニスカス形状の第６レンズＬ６、正の屈折力の第７レンズＬ７からなり、以下の条件を満足することを特徴とする。
（１）  ０．８ｆ＜ｆ１２＜ｆ
（２）  ０．１６ｆ＜Ｄ５＜０．２５ｆ
（３）  ０．４５ｆ＜Ｒ６＜０．６２ｆ
（４）  １．３＜｜Ｒ６／Ｒ８｜＜１．６２
ただし、
ｆ：全系の焦点距離
ｆ１２：第１レンズおよび第２レンズの合成焦点距離
Ｄ５：第３正レンズの中心厚
Ｒ６：第３レンズ後面の曲率半径
Ｒ８：第４レンズ前面の曲率半径
である。
【０００６】
【発明の実施の形態】
本発明の特徴の一つである、第１レンズＬ１および第２レンズＬ２の合成系のパワーを従来の６群７枚構成の変形ガウスタイプに比べ大幅に小さくしたことにある。条件式（１）は、第１レンズＬ１および第２レンズＬ２の合成系のパワーを規定する条件であり、また、第３レンズＬ３後面の曲率半径を大きく構成する条件式（３）を保障する条件でもある。条件式（１）の下限を超えると第１レンズＬ１および第２レンズＬ２の合成パワーが強くなるので、従来の変形ガウスタイプに近いパワー配置となりガウスタイプの欠点が矯正できない。逆に、上限を越えて合成パワーが小さくなれば、前群の釣り合いをとる為に第３レンズＬ３の負パワーを更に弱くしなければならず、その結果、ペッツバール和が大きくなると共に収差補正の負担が後群にかかることになるので好ましくない。
【０００７】
条件式（２）は、第３レンズＬ３の中心厚Ｄ５が従来の変形ガウスタイプより大幅に厚いことを要求するものである。第３レンズＬ３の中心厚Ｄ５が厚くなることによって像面湾曲、非点収差が良好に補正できる。条件式（１）、条件式（２）および条件式（３）は、互いに関連していて切り離せない関係にあり、条件式（１）および条件式（２）が満足されていれば下限を超える状態にはならない。上限を越える場合はシステムが大型化するので好ましくなく、またコマフレアが増大する方向でもある。
【０００８】
条件式（３）は、第３レンズＬ３後面の曲率半径Ｒ６を規定するものである。第３レンズＬ３後面の曲率半径Ｒ６の曲率半径を条件式（３）の範囲内で大きくすることによりサジタルコマフレアの発生を抑えることが可能となる。下限を超える時はサジタルコマフレアの補正効果が十分でなく、上限を越える時はフレアの除去には良いが球面収差が補正困難になり、対称性収差の補正にとって支障をきたすので好ましくない。
【０００９】
条件式（４）は、第３レンズＬ３後面の曲率半径Ｒ６と第４レンズＬ４前面の曲率半径Ｒ８の関係を規定するものである。本発明は、変形ガウスタイプの形状の対称性を崩したが、第３レンズＬ３後面の曲率半径Ｒ６が大きくなるのに対応して、第４レンズＬ４前面の曲率半径Ｒ８を適切に設定することが必要である。下限を超えれば、従来のガウスタイプの構成に近くなりフレア補正の効果が弱まる。上限を越える時は、第４レンズＬ４前面が強い凹面になるが後群の正パワーも同時に強くなるので、球面収差をはじめ軸外収差の補正に困難が生じて好ましくない。
【００１０】
【実施例】
以下に、本発明のレンズの数値実施例１および数値実施例２を示す。本発明の大口径比レンズは、物体側から順に、第１レンズＬ１、第２レンズＬ２、第３レンズＬ３、第４レンズＬ４、第５レンズＬ５、第６レンズＬ６、第７レンズＬ７から構成されている。また、各実施例において、ｆは焦点距離、ＦｎｏはＦナンバー、ωは画角、番号は物体側からのレンズ面の順序、Ｒ（Ｉ）はレンズ面の曲率半径、Ｄ（Ｉ）はレンズ間隔を表している。
【００１１】
数値実施例１
ｆ＝５１.５９
Ｆｎｏ＝１.４１
ω＝２３.１°
番号      Ｒ（Ｉ）        Ｄ（Ｉ）      ＮＤ            Ｖｄ
[ 1]      ９４.８６      ５.１４      １.８０４２      ４６.５
[ 2]  −２３８.５３      ０.１
[ 3]      ４１.４２      ３.４３      １.８０４２      ４６.５
[ 4]      ８８.９２      １.７６
[ 5]  −６６９.３３      ９.４６      １.５９５５１    ３９.２
[ 6]      ２６.９１      ５.１４
[ 7]        ０           ６.６４
[ 8]    −１９.２９      １.５６      １.７１７３６    ２９.５
[ 9]      ９５.８        ８.４８      １.７５５        ５２.３
[10]    −２８.５９      ０.１
[11]  −１７６.９８      ３.４３      １.８０４２      ４６.５
[12]    −４９.２８      ０.１
[13]    １５２.６７      ３.０１      １.８０４２      ４６.５
[14]  −１３８.５２
条件式
（１）  ｆ１２／ｆ＝０.８７
（２）  Ｄ５／ｆ＝０.１８
（３）  Ｒ６／ｆ＝０.５２
（４）  ｜Ｒ６／Ｒ８｜＝１.４０
【００１２】
数値実施例２
ｆ＝５１.６
Ｆｎｏ＝１.４１
ω＝２３.１°
番号      Ｒ（Ｉ）        Ｄ（Ｉ）      ＮＤ            Ｖｄ
[ 1]    １３３.３６      ３.６２      １.８０４２      ４６.５
[ 2]  −１７０.５        ０.１
[ 3]      ４５.６５      ３.３１      １.８０４２      ４６.５
[ 4]    １１４.１２      ２
[ 5]  −２４５.８      １１.８７      １.５９５５１    ３９.２
[ 6]      ２９.９１      ４.５８
[ 7]        ０           ６.９１
[ 8]    −１９.０１      １.５８      １.７１７３６    ２９.５
[ 9]    １３０.８９      ８.１３      １.７５５        ５２.３
[10]    −２７.１        ０.１
[11]  −２２９.９１      ３.３１      １.８０４２      ４６.５
[12]    −５３.４９      ０.１
[13]    １４２.３        ２.９６      １.８０４２      ４６.５
[14]  −１５４.０１
条件式
（１）  ｆ１２／ｆ＝０.９
（２）  Ｄ５／ｆ＝０.２３
（３）  Ｒ６／ｆ＝０.５８
（４）  ｜Ｒ６／Ｒ８｜＝１.５７
【００１３】
【発明の効果】
本発明のレンズは、変形ガウスタイプの構成を受け継ぎながら前後群の形状の対称性を新しい形で崩すことにより、同仕様のガウスタイプシステムと際立った差別化を実現可能とし、サジタルフレアを減らし、同時に各面の曲率半径を大きく構成することが可能となる。同仕様のガウスタイプシステムに劣らぬ性能に加え、製造が容易になりコスト削減も実現可能となる。
【図面の簡単な説明】
【図１】本発明の数値実施例１のレンズ断面図
【図２】本発明の数値実施例１の収差図
【図３】本発明の数値実施例２のレンズ断面図
【図４】本発明の数値実施例２の収差図
【符号の説明】
Ｌ１  第１レンズ
Ｌ２  第２レンズ
Ｌ３  第３レンズ
Ｌ４  第４レンズ
Ｌ５  第５レンズ
Ｌ６  第６レンズ
Ｌ７  第７レンズ
【図１】
0004121750.tif 000002
【図２】
0004121750.tif 000003
【図３】
0004121750.tif 000004
【図４】
0004121750.tif 000005